(57)【要約】【課題】通気性が良く、且つ十分な吸収容量を有する吸収性物品を提供する。【解決手段】吸収体は、積層された第１層と第２層とを有し、第１層は、前後方向に延びる第１開口部を備え、第２層は、前後方向に延びる第２開口部を備え、第１層と第２層とは、第１開口部と第２開口部とが平面視で重なった部分を有するように積層されており、第１開口部は、少なくとも前方に形成された幅広部と、幅広部に後方に隣接して形成された幅狭部とを有し、第２開口部は、幅広部が形成された範囲において、第１開口部の幅より小さい幅を有し、幅狭部が形成された範囲において、第１開口部の幅より大きい幅を有する。【選択図】図１
2019166231.tif 000002
【特許請求の範囲】
【請求項１】
吸収体を有し、前後方向に所定の長さと、前記前後方向に直交する幅方向に所定の幅とを有する吸収性物品であって、
前記吸収体は、積層された第１層と第２層とを有し、
前記第１層は、前記前後方向に延びる第１開口部を備え、前記第２層は、前記前後方向に延びる第２開口部を備え、前記第１層と前記第２層とは、前記第１開口部と前記第２開口部とが平面視で重なった部分を有するように積層されており、
前記第１開口部は、少なくとも前方に形成された幅広部と、前記幅広部に後方に隣接して形成された幅狭部とを有し、
前記第２開口部は、前記幅広部が形成された範囲において、前記第１開口部の幅より小さい幅を有し、前記幅狭部が形成された範囲において、前記第１開口部の幅より大きい幅を有する、吸収性物品。
【請求項２】
前記幅広部は、装着時に装着者の体液排出口に対応する体液排出口対応部又はその近傍に配置されている、請求項１に記載の吸収性物品。
【請求項３】
前記第１開口部は、前記幅狭部の後方に隣接する第２の幅広部を有する、請求項１又は２に記載の吸収性物品。
【請求項４】
前記第２開口部の平面視形状は、前記前後方向の中央で膨らむ曲線状の輪郭を有する、請求項３に記載の吸収性物品。
【請求項５】
前記第１層は、肌対向面側に設けられ、前記第２層は前記肌対向面の反対側に設けられている、請求項１から４のいずれか一項に記載の吸収性物品。
【請求項６】
前記第２層は、肌対向面側に設けられ、前記第１層は前記肌対向面の反対側に設けられている、請求項１から４のいずれか一項に記載の吸収性物品。
【請求項７】
前記第１開口部及び前記第２開口部はそれぞれ複数設けられており、前記第１開口部及び前記第２開口部はそれぞれ、前記前後方向に延びる中央線の各側に離間して設けられている、請求項１から６のいずれか一項に記載の吸収性物品。
【発明の詳細な説明】
【技術分野】
【０００１】
本発明は、吸収性物品に関する。
【背景技術】
【０００２】
吸収体を有する吸収性物品として、パッドタイプ、テープタイプ、パンツタイプ等の形態の使い捨ておむつの他、生理用ナプキンが知られている。このような吸収性物品には、体液を前後方向に誘導させやすくするために、吸収体に開口部や溝を形成したものがある。
【０００３】
例えば、特許文献１には、上側吸収層と下側吸収層とを有する吸収性積層体を有する吸収性物品であって、上側吸収層が前後方向に延びる上側開口を有し、下側吸収層が上側開口と重なって、前後方向に延びる下側開口を有するものが記載されている。
【先行技術文献】
【特許文献】
【０００４】
【特許文献１】特許第６２１１７４７号公報
【発明の概要】
【発明が解決しようとする課題】
【０００５】
しかしながら、特許文献１に記載の構成においては、吸収性物品の両側部に脚の圧力がかかった場合に、開口が全体にわたって潰れてしまうことがある。そのため、通気性が損なわれ、ムレが発生しやすくなる。一方、ムレの防止を考慮して、開口の幅を大きくした場合には、吸収体の吸収容量を十分に確保できない場合がある。
【０００６】
上記の点に鑑みて、通気性が良く、且つ十分な吸収容量を有する吸収性物品を提供することを課題とする。
【課題を解決するための手段】
【０００７】
本発明の第一の態様は、吸収体を有し、前後方向に所定の長さと、前記前後方向に直交する幅方向に所定の幅とを有する吸収性物品であって、前記吸収体は、積層された第１層と第２層とを有し、前記第１層は、前記前後方向に延びる第１開口部を備え、前記第２層は、前記前後方向に延びる第２開口部を備え、前記第１層と前記第２層とは、前記第１開口部と前記第２開口部とが平面視で重なった部分を有するように積層されており、前記第１開口部は、少なくとも前方に形成された幅広部と、前記幅広部に後方に隣接して形成された幅狭部とを有し、前記第２開口部は、前記幅広部が形成された範囲において、前記第１開口部の幅より小さい幅を有し、前記幅狭部が形成された範囲において、前記第１開口部の幅より大きい幅を有する。
【０００８】
上記第一の態様によれば、吸収体が第１層と第２層とを有する。このため、異なる吸収体層にそれぞれ異なる機能を持たせることが可能となる。また、第１層及び第２層は、前後方向に延びる第１開口部及び第２開口部をそれぞれ備え、第１開口部及び第２開口部が平面視で重なった部分を有しており、この重なった部分は吸収体全体を厚み方向に貫通する貫通部となる。このため、吸収体の通気性を向上させることができ、吸収性物品を体液排出後にも長時間装着したとしても良好にムレを防止することができる。
【０００９】
また、吸収性物品の装着時（吸収性物品を装着した状態で）、吸収体の両側部に脚からの圧力（脚圧）がかかると、上記のような貫通部があっても潰れて、すなわち幅方向に閉じて、通気性が損なわれる可能性がある。これに対し、本態様では、第１開口部が、少なくとも前方に形成された幅広部と、その後方に隣接して形成された幅狭部とを有し、第２開口部は、幅広部が形成された範囲において、第１開口部の幅より小さい幅を有し、幅狭部が形成された範囲において、第１開口部の幅より大きい幅を有する。この構成では、脚圧がかかった場合、幅狭部が形成された範囲において、第１開口部の両縁部が最初に当接して幅方向内側に閉じる部分が形成される。ここで、さらに脚圧がかかった場合であっても、最初に当接した第１開口部の両縁部が、言わばつっかえ棒（ストッパ）になるので、この最初に当接した両縁部以外の位置、特に脚圧の影響を受けにくい幅広部が形成された範囲では、貫通部の両縁部が互いに近付きにくくなる、つまり、幅方向に閉じにくくなる。よって、吸収性物品に側方から強い脚圧がかかった場合でも、貫通部を部分的に維持することが可能となる。
【００１０】
また、第１開口部及び第２開口部が重なった部分の前端から後端にわたる範囲においては、第１開口部及び第２開口部のどちらか一方の両縁部が、他方の両縁部をそれぞれ越えて幅方向内側に突出している。これにより、吸収体の吸収容量を確保することができ、幅方向外側への体液の漏れ（いわゆる横漏れ）を低減することができる。
【００１１】
本発明の第二の態様では、前記幅広部は、装着時に装着者の体液排出口に対応する体液排出口対応部又はその近傍に配置されている。
【００１２】
上記第二の態様によれば、幅広部が体液排出口対応部又はその近傍に配置されている。上述のように、幅広部が形成されている範囲で貫通部を維持することができるので、排出された体液を直ちに貫通部で受け止めることができる。そのため、多量の体液が一気に排出された場合でも横漏れしにくくなっている。
【００１３】
上記第三の態様では、前記第１開口部は、前記幅狭部の後方に隣接する第２の幅広部を有する。
【００１４】
本発明の第三の態様によれば、第１開口部が後方にも幅広部を有するので、第１開口部の後端に多量の体液が到達しても体液を受けとめることができるので、後方における横漏れを防止することができる。
【００１５】
本発明の第四の態様では、前記第２開口部の平面視形状は、前記前後方向の中央で膨らむ曲線状の輪郭を有する。
【００１６】
上記第四の態様によれば、第２開口部の平面視形状の輪郭が中央で膨らむ曲線状になっているので、開口部の縁部を伝う体液を滞りなく誘導することができる。
【００１７】
本発明の第五の態様では、前記第１層は、肌対向面側に設けられ、前記第２層は前記肌対向面の反対側に設けられている。
【００１８】
上記第五の態様によれば、前方に幅広部を有する第１開口部が肌対向面側（上側）に位置し、第２開口部が肌対向面の反対側（下側）に位置することになる。よって、体液を受けとめる幅広部の導入口の面積を大きくすることができる。これにより、横漏れを防止する効果が高めることができる。
【００１９】
また、第１開口部の幅広部を上面視した場合、下層（第２層）に設けられた第２開口部の両縁部が幅方向内側に突出している。そのため、開口部の前方においては、突出した第２開口部の両縁部から体液の一部を速やかに下層（第２層）の吸収体へ引き込むことができる。また、体液の一部は開口部に沿って後方へと誘導されるが、第１開口部の幅狭部が形成された範囲においては、脚圧がかかった場合、幅狭部の上層（第１層）の第１開口部が閉じ且つ下層（第２層）の第２開口部が閉じていない部分が形成され、体液の流れる溝状の通路が下層（第２層）に形成されることになる。よって、前方で受けとめられて下層（第２層）に到達した体液は、肌から離れて位置する通路に沿って後方へと誘導される。これにより、肌に触れる体液の量を小さくすることができ、装着感も向上し得る。
【００２０】
本発明の第六の態様では、前記第２層は、肌対向面側に設けられ、前記第１層は前記肌対向面の反対側に設けられている。
【００２１】
上記第六の態様によれば、第２層が肌対向面側（上側）に設けられ且つ第１層が肌対向面の反対側（下側）に設けられている。開口部の前方において体液が受けとめられた場合、第１開口部の幅狭部が形成された範囲では、体液は開口部に沿って誘導されるが、脚圧がかかった場合、下層（第１層）の第１開口部が閉じ且つ上層（第２層）の第２開口部が閉じていない部分が形成され、体液の流れる溝状の通路が上層（第２層）に形成されることになる。よって、前方で受けとめられた体液は、その一部が下層（第１層）の吸収体に吸収されつつ、速やかに上層（第２層）に形成された通路に沿って後方へと誘導されることができる。
【００２２】
本発明の第七の態様では、前記第１開口部及び前記第２開口部はそれぞれ複数設けられており、前記第１開口部及び前記第２開口部はそれぞれ、前記前後方向に延びる中央線の各側に離間して設けられている。
【００２３】
上記第七の態様によれば、第１開口部及び第２開口部がそれぞれ複数設けられているので、第１開口部及び第２開口部による体液を前後方向に誘導する効果を向上させることができる。また、前記第１開口部及び前記第２開口部はそれぞれ、前後方向に延びる中央線の各側に離間して設けられているので、吸収性物品が幅方向に（左右に）ずれて装着された場合であっても、体液を前後方向に良好に誘導することができる。
【発明の効果】
【００２４】
本発明の一態様によれば、通気性が良く、且つ十分な吸収容量を有する吸収性物品を提供することができる。
【図面の簡単な説明】
【００２５】
【図１】本発明の第１実施形態による吸収性物品の平面図である。
【図２】図１のＩ−Ｉ線断面図である。
【図３】図１に示す吸収体を部分的に拡大した平面図である。
【図４】図３の吸収体に脚圧がかかって変化した状態を示す図である。
【図５】図３及び図４におけるＭ１−Ｍ１線断面を示す。
【図６】図３及び図４におけるＥ１−Ｅ１線断面を示す。
【図７】本発明の第２実施形態による吸収性物品における吸収体を部分的に拡大した平面図である。
【図８】図７の吸収体に脚圧がかかって変化した状態を示す図である。
【図９】図７及び図８におけるＭ２−Ｍ２線断面を示す。
【図１０】図７及び図８におけるＥ２−Ｅ２線断面を示す。
【図１１Ａ】開口部の変形例を示す。
【図１１Ｂ】開口部の変形例を示す。
【図１２】本発明の第３実施形態による吸収性物品の平面図である。
【発明を実施するための形態】
【００２６】
以下、本発明の実施の形態について図面を参照しながら説明する。なお、各図面において、特に説明がない限り、同一の又は対応する構成については同一の符号を付して説明を省略する場合がある。
【００２７】
（吸収性物品の基本構造）
まず、本発明の実施形態による吸収性物品の基本的な構造について説明する。以下の説明においては、本発明の実施形態をパッドタイプ使い捨ておむつ（尿取りパッド）の例に基づき説明する。
【００２８】
図１に、本発明の一形態による吸収性物品１００の平面図を示す。また、図２に、図１のＩ−Ｉ線断面図を示す。図１及び図２に示すように、吸収性物品１００は、透液性のトップシート２２と、不透液性のバックシート２１と、両シート２１、２２の間に設けられた吸収体３０とを有している。吸収性物品１００を装着する際には、トップシート２２側が肌側（上側）となり、バックシート２１側は、アウター（外側のおむつ）や下着等に固定される側（下側）となる。
【００２９】
図１に示すように、吸収性物品１００は、平面視で、第１方向（前後方向）Ｄ１に所定の長さを有し、第１方向Ｄ１と直交する第２方向（幅方向）Ｄ２に所定の幅を有している。図１の形態では、吸収性物品１００の幅は長さより短い。すなわち、吸収性物品１００は、全体として細長い形状を有している。なお、吸収性物品１００の前方及び後方は、装着時（吸収性物品１００を装着した状態）ではそれぞれ腹側及び背側に相当する。
【００３０】
吸収性物品１００の前後方向Ｄ１の長さ（全長）は、３５０〜７００ｍｍ程度、幅方向Ｄ２の長さ（全幅）は１３０〜４００ｍｍ程度とすることができる。吸収性物品１００の形状は、前後方向に延びる中心線ＣＬを対称線として線対称とすることができるが、必ずしも線対称である必要はない。また、吸収性物品１００の構成（トップシート２２、バックシート２１、吸収体３０等の各要素の大きさ、形状、配置等）も線対称であってよいが、吸収性物品１００の形状と同様、線対称でなくてもよい。
【００３１】
図１の形態では、吸収性物品１００は、前後方向Ｄ１で見て中央付近に、股間対応領域ＲＣ１を有する。本明細書において、「股間対応領域」とは、使用時に身体の股間（股下）に対応させる部分を意味する。股間対応領域ＲＣ１は、例えば、吸収性物品１００の前後方向中央若しくはその近傍から前方の所定位置までの範囲であってもよいし、吸収性物品の前後方向中央の所定範囲であってよい。図１の形態では、吸収性物品１００には、幅が狭くなっている括れ部分が形成されているが、その括れ部分が形成されている領域若しくはその一部が股間対応領域ＲＣ１となっていてよい。また、股間対応領域ＲＣ１の前方に隣接し、吸収性物品１００の前端までの領域が前方領域ＲＦ１となっており、股間対応領域ＲＣ１の後方に隣接し、吸収性物品１００の後端までの領域が後方領域ＲＲ１となっている。
【００３２】
なお、吸収性物品１００の平面視形状は、上述のように、前後の領域に比べて幅が狭くなっている部分（括れ部分）を有するものでなく、前後方向Ｄ１にわたって幅が一定である矩形状等、他の形状とすることもできる。
【００３３】
股間対応領域ＲＣ１の前後方向Ｄ１の長さは１０〜１５０ｍｍ程度、前方領域ＲＦ１の前後方向Ｄ１の長さは５０〜３５０ｍｍ程度、後方領域ＲＲ１の前後方向Ｄ１の長さは５０〜３５０ｍｍ程度とすることができる。また、吸収性物品１００が括れ部分有する場合、その最小幅は、吸収性物品１００の全幅（括れ部分の前後における幅方向Ｄ２の長さ）の５０〜９０％程度であるのが好ましい。
【００３４】
バックシート２１は、吸収性物品１００と同じ形状及びサイズとすることができる。バックシート２１のサイズは、吸収体３０よりも大きくてよい。バックシート２１としては、ポリエチレンフィルム等の他、ムレ防止の点から遮水性を損なわずに透湿性を備えたシートも用いることができる。この遮水・透湿性シートは、例えばポリエチレンやポリプロピレン等のオレフィン樹脂中に無機充填材を溶融混練してシートを形成した後、一軸又は二軸方向に延伸することにより得られる微多孔性シートを用いることができる。なお、バックシート２１の外面は、不織布等の外装シートにより覆うこともできる。
【００３５】
図１及び図２に示すように、吸収体３０の上側には、トップシート２２が配置されている。図示の形態では、トップシート２２は、吸収体３０の幅方向Ｄ２の端部の一部を覆っていないが、吸収体３０全体を覆っていてもよい。トップシート２２としては、有孔又は無孔の不織布や穴あきプラスチックシートなどを用いることができる。不織布を構成する素材繊維としては、ポリエチレン、ポリプロピレン等のオレフィン系、ポリエステル系、アミド系等の合成繊維の他、レーヨン、キュプラ等の再生繊維、綿等の天然繊維を用いることができる。
【００３６】
図１及び図２に示すように、トップシート２２と吸収体３０との間には、中間シート２５を介在させることができる。中間シート２５を設けることで、吸収体３０により吸収した体液の逆戻りを防止することができる。そのため、中間シート２５としては、保水性が低く且つ液透過性の高い素材、例えば各種の不織布、メッシュフィルム等を用いるのが好ましい。
【００３７】
吸収体３０の前後方向Ｄ１の両端部では、バックシート２１とトップシート２２とが貼り合わされている。また、吸収性物品１００の幅方向Ｄ２の両側部においては、バックシート２１と、吸収性物品１００の両側部に前後方向Ｄ１に沿ってそれぞれ設けられたギャザーシート２４、２４とが貼り合されている。
【００３８】
ギャザーシート２４としては、プラスチックシート、メルトブローン不織布等使用することもできるが、肌への感触性が良いという観点から、不織布にシリコーン等によって撥水処理をしたものが好適に使用される。
【００３９】
図１及び図２に示すように、ギャザーシート２４、２４はそれぞれ、トップシート２２上に重ねられている。そして、各キャザーシート２４の幅方向Ｄ２の内側の端部には、前後方向に沿って伸張状態で固定された弾性部材が設けられていてもよい。この弾性部材は、糸状、紐状、帯状等に形成された、スチレン系ゴム、オレフィン系ゴム、ウレタン系ゴム、エステル系ゴム等から製造されたものであってよい。
【００４０】
また、ギャザーシート２４は、図１の網掛けで示す範囲において、その直下に配置されているトップシート２２、包装シート２６、又はバックシート２１と接合されていてよい。そして、上述のように、ギャザーシート２４の幅方向Ｄ２の内側の端部には弾性部材が設けることができるので、ギャザーシート２４の接合されていない部分（すなわち、幅方向Ｄ２の内側の領域であって、その両端部を除く領域）は、吸収性物品１００の表側（トップシート側）に起立するギャザーＧ、Ｇとなることができる。ギャザーＧ、Ｇによって、側方への体液の漏れ等を防ぐことができる。
【００４１】
なお、ギャザーシート２４、２４と下の構成要素との接合は、例えば、ホットメルト接着剤、ヒートシール、超音波シールによって形成できる。
【００４２】
図１に示すように、吸収体３０は、吸収性物品１００と同様に、全体として細長い形状を有している。吸収体３０の平面視形状は、吸収性物品１００の全体の平面視形状と同様に、括れ部分を有しているが、吸収性物品１００の平面視形状に関わらず、前後方向Ｄ１にわたって幅が一定である括れ部分のない矩形状等とすることもできる。なお、図示の形態のように吸収体３０が括れ部分を有する場合、括れ部分の最小幅は、括れ部分の前後における幅方向Ｄ２の長さの５０〜７５％程度とすることができる。
【００４３】
図１に示すように、吸収体３０は、不織布やクレープ紙等の包装シート２６によって包まれていてもよい。また、後述のように吸収体３０が複数層からなる場合には、各層が包装シートによって包まれていてもよいし、包装シートが層間に挟まれていてもよい。包装シート２６は、無着色（すなわち、白色）であってもよいし、着色されていてもよい。色は、排出された体液の色を目立たなくすることができる色、例えば体液の色に近い色、又は体液の色の補色若しくはそれに近い色等にすることができる。
【００４４】
図１に示すように、吸収体３０は、前後方向Ｄ１で見て中央付近に、股間対応領域ＲＣ２を有しており、この股間対応領域ＲＣ２は、上記の吸収性物品１００の股間対応領域ＲＣ１に対応している。そして、股間対応領域ＲＣ２の前方に隣接し、吸収体３０の前端までの領域が前方領域ＲＦ２となっており、股間対応領域ＲＣ２の後方に隣接し、吸収体３０の後端までの領域が後方領域ＲＲ２となっている。
【００４５】
なお、上記の括れ部分の一部を構成し得る吸収体３０の股間対応領域ＲＣ２は、図示のように、吸収体３０の前半分の領域に配置されていてもよいし、製品全体の構成によっては、吸収体３０の前後方向Ｄ１の中央に配置されていてもよい。
【００４６】
吸収体３０は、パルプ繊維の積繊体、セルロースアセテート等のフィラメントの集合体、不織布等であってよく、必要に応じて粒子状等の高吸収性ポリマーを混合、固着等してなるものを用いることができる。高吸収性ポリマー粒子を混合する場合等、粒子のこぼれを防ぐために、吸収体３０は包装シート２６で包まれていることが好ましい。
【００４７】
吸収体３０における繊維目付及び高吸収性ポリマーの目付は適宜定めることができるが、繊維目付は１００〜７００ｇ／ｍ2程度とするのが好ましく、また吸収性ポリマーの目付は５０〜５５０ｇ／ｍ2程度とするのが好ましい。
【００４８】
図１及び図２に示すように、吸収体３０は、積層された第１層３０Ａと第２層３０Ｂとを有する。このように、吸収体３０が、複数の積層された層を有することで、各層に異なる機能を持たせることが可能になる。第１層３０Ａの厚みは、０．５〜１０ｍｍとすることができ、第２層３０Ｂの厚みは、０．５〜１０ｍｍとすることができる。そして、積層体としての吸収体３０全体の厚みは、１〜２０ｍｍとすることができる。
【００４９】
（第１実施形態）
第１実施形態として、図３に、図１の吸収性物品１００の吸収体３０の部分拡大図を示す。図４に、図３の吸収体３０に、両側部から脚圧Ｐがかかった状態を示す。図５に、Ｍ１−Ｍ１線断面の、図３に示す状態から図４に示す状態への変化を示す。すなわち、図５（ａ）に、図３のＭ１−Ｍ１線断面図を、図５（ｂ）に、図４のＭ１−Ｍ１線断面図を示す。また、図６に、Ｅ１−Ｅ１線断面の、図３に示す状態から図４に示す状態への変化を示す。すなわち、図６（ａ）に、図３のＥ１−Ｅ１線断面図を、図６（ｂ）に、図４のＥ１−Ｅ１線断面図を示す。
【００５０】
図３に示すように、第１層３０Ａは、前後方向に延びる第１開口部３２Ａを備え、第２層３０Ｂは、前後方向に延びる第２開口部３２Ｂを備えている。本明細書においては、第１開口部３２Ａ及び第２開口部３２Ｂを合わせて開口部という場合がある。図３の形態では、第１開口部３２Ａ及び第２開口部３２Ｂはいずれも線対称の形状であり、前後方向中心線はそれぞれ直線状になっている。しかし、第１開口部３２Ａ及び第２開口部３２Ｂの前後方向中心線は、開口部の延在する範囲の全体又は一部にわたって湾曲していてもよい。
【００５１】
第１実施形態では、第１層３０Ａが上側（トップシート２２側）に、第２層３０Ｂが下側（バックシート２１側）に配置されているので、第１開口部３２Ａは上層に、第２開口部３２Ｂは下層に位置する。第１開口部３２Ａ及び第２開口部３２Ｂは、平面視で重なった部分（第１開口部３２Ａと第２開口部３２Ｂとの共通部分）を有しており、この重なった部分が、吸収体３０全体を貫通する貫通部３５（図３には斜線で図示）となっている。貫通部３５は、吸収体３０全体を厚み方向に、好ましくは吸収体３０の面方向に対してほぼ垂直に貫通していることが好ましい。このような貫通部３５があることで、吸収体の通気性を向上させることができ、吸収性物品を体液排出後にも長時間装着したとしても良好にムレを防止することができる。
【００５２】
第１開口部３２Ａの前後方向に延びる中心線（前後方向中心線）と、第２開口部３２Ｂの前後方向に延びる中心線とは、少なくとも一部でほぼ一致していることが好ましく、全体的にほぼ一致していることが好ましい。本明細書において、中心線がほぼ一致するとは、中心線が２つの中心線がなす角度が±１０°、好ましくは±５°であるか、又は２つの中心線が平行に延びている場合には２つの線の間隔が５ｍｍ以下、好ましくは３ｍｍ以下であることを指す。また、第１開口部３２Ａの前後方向中心線、及び第２開口部３２Ｂの前後方向中心線は、吸収性物品１００の前後方向中心線ＣＬにほぼ一致していてよい。
【００５３】
第１開口部３２Ａ及び第２開口部３２Ｂの長さは、吸収性物品１００の構成や用途に応じて適宜選択することができる。第１開口部３２Ａの前後方向Ｄ１の長さは、１４０〜２２０ｍｍとすると好ましく、１８０〜２１５ｍｍとするとより好ましい。第２開口部３２Ｂの前後方向Ｄ１の長さは、１４０〜２５０ｍｍとすると好ましく、１５０〜２３５ｍｍとするとより好ましい。
【００５４】
図３に示すように、第１開口部３２Ａは、少なくとも前方に幅広部Ｗを有し、幅広部Ｗの後方に隣接して幅狭部Ｎを有している。幅狭部Ｎ及び幅広部Ｗの幅の大きさは、相対的なものであって、幅狭部Ｎの幅が幅広部Ｗの幅より小さくなっていれば、限定されない。
【００５５】
図３に示すように、幅広部Ｗが形成された範囲においては、第２開口部３２Ｂの幅は第１開口部３２Ａの幅より小さく、幅狭部Ｎが形成された範囲においては、第２開口部３２Ｂの幅は第１開口部３２Ａの幅より大きくなっている。
【００５６】
従来の構成では、吸収体を厚み方向に貫通する貫通部があっても、装着時に脚圧がかかった場合に貫通部が全体にわたり幅方向に閉じてしまう場合があり、通気性が損なわれる可能性がある。これに対し、本形態の構成では、吸収体３０の両側部に矢印Ｐで示すような脚圧（図３）がかかった場合、第１開口部３２Ａの幅狭部Ｎが形成された範囲において、第１開口部３２Ａの両縁部が最初に当接して幅方向Ｄ２内側に閉じる部分が形成される（図４、図５（ａ）及び図５（ｂ））。ここで、さらに脚圧がかかった場合であっても、最初に当接した第１開口部３２Ａの両縁部がつっかえ棒（ストッパ）のように働き、この当接位置及びその前後近傍以外の位置では、貫通部３５の両縁部がそれ以上互いに近付きにくくなる、つまり、貫通部が幅方向Ｄ２に閉じにくくなる。特に、第１開口部３２Ａの少なくとも前方に位置する、すなわち脚圧が最も強く作用する位置から離れている幅広部Ｗ（又は幅広部Ｗ'）においては、貫通部３５は閉じにくい（図４、図６（ａ）及び図６（ｂ））。よって、吸収性物品１００に両側方から強い脚圧がかかった場合でも、貫通部３５を部分的に維持することが可能となる。
【００５７】
幅広部Ｗを上面視した場合、第２開口部３２Ｂの幅は第１開口部３２Ａの幅より小さく、また幅狭部Ｎを上面視した場合、第２開口部３２Ｂは第１開口部３２Ａの幅より大きくなっている。すなわち、幅広部Ｗが形成された範囲においては、第２開口部３２Ｂの両縁部は、第１開口部３２Ａの両縁部をそれぞれ越えて幅方向Ｄ２内側に突出している。また、幅狭部Ｎが形成された範囲においては、第１開口部３２Ａの両縁部は、第２開口部３２Ｂの両縁部をそれぞれ越えて幅方向Ｄ２内側に突出している。別の言い方をすると、第１開口部３２Ａの縁部の輪郭と第２開口部３２Ｂの縁部の輪郭とは、平面視で交差している。
【００５８】
積層された上下各層に形成された開口部の幅をともに大きくした場合には、通気性を向上させることができるが、吸収容量が減ってしまう。一方、積層された上下各層に形成された開口部の幅をともに小さくした場合には、両開口部がともに潰れやすくなり、通気性が低下する。しかしながら、上述の本形態によれば、上下各層に形成された開口部の一方の幅を大きく、他方を小さく構成しているので、通気性向上と吸収容量（吸収体３０が吸収できる体液の量）の確保との両方の機能をバランス良く得ることができる。
【００５９】
また、第１開口部の幅広部を上面視した場合、下層（第２層３０Ｂ）に設けられた第２開口部３２Ｂの両縁部が幅方向内側に突出しているので、この突出した両縁部から体液の一部を速やかに下層（第２層３０Ｂ）の吸収体へ引き込むことができる。体液の一部は開口部に沿って後方へと誘導されるが、第１開口部３２Ａの幅狭部Ｎが形成されている場所では、脚圧がかかって上層（第１層３０Ａ）の第１開口部３２Ａが閉じ且つ下層（第２層３０Ｂ）の第２開口部３２Ｂが閉じていない部分が形成され（図４及び図５（ｂ））、体液が流れる溝状の通路が下層（第２層３０Ｂ）に形成されることになる。よって、前方で受けとめられて下層（第２層３０Ｂ）に到達した体液は、肌から離れて位置する通路に沿って後方へと誘導される。これにより、肌に触れる体液の量を小さくすることができるので、装着感も向上し得る。
【００６０】
図３の形態では、第１開口部３２Ａの前方に幅広部Ｗが、後方に幅広部Ｗ'が設けられている。しかし、幅広部Ｗが前方に設けられていて且つ後方には設けられていない構成としてもよい。前方から誘導された体液は、幅広部Ｗ'に到達して後方の縁部から拡散・吸収され得るが、後方の幅広部Ｗ'（第２の幅広部）が設けられていることによって、多量の体液が開口部の後方の端部に到達しても体液を受けとめることが可能となり、後方での横漏れを防止することができる。
【００６１】
図３に示すように、第１開口部３２Ａは、股間対応領域ＲＣ２に設けられている。第１開口部３２Ａは、股間対応領域ＲＣ２の前後方向の範囲に含まれていてもよいし、股間対応領域ＲＣ２の前端及び／又は後端を越えて配置されていてもよい。また、股間対応領域ＲＣ２からその後方に隣接する後方端部領域ＲＲ２にかけて延在していてもよい。第２開口部３２Ｂの配置についても同様であり、第１開口部３２Ａと第２開口部３２Ｂとが重なった部分である貫通部３５の配置についても同様である。
【００６２】
また、第１開口部３２Ａは、体液排出口対応部Ｑが位置する部分と重なるように配置することができる。第２開口部３２Ｂの配置及び貫通部３５の配置についても同様である。
【００６３】
さらに、第１開口部３２Ａの前方の幅広部Ｗを、体液排出口対応部Ｑが位置する部分又はその近傍に重なるように配置することができる。これにより、排出された体液をまず前方にて受けとめることができる。上述のように、幅広部Ｗが形成された範囲内に、装着時に脚圧Ｐがかかった場合でも貫通部３５を維持することができる（図４及び図６（ｂ））。これにより、貫通部３５とバックシート２１とによって窪みを形成することができ、この窪みにて体液を受けとめることができる。そのため、脚圧Ｐがかかった状態で多量の体液が一気に排出された場合でも横漏れを防止することができる。
【００６４】
また、第１実施形態では、より広い幅を有する第１開口部３２Ａが吸収体の上層に位置するので、体液が流れ込む導入口を大きくすることができる。このため、体液が一気に排出された場合でも体液を第１開口部３２Ａの幅広部Ｗから導入することができ、横漏れ防止の効果をさらに向上させることができる。
【００６５】
さらに、上述のように前方の幅広部Ｗによって受けとめられた体液は、その一部が開口部３２Ａ及び開口部３２Ｂの縁部の吸収体に拡散され、吸収されるとともに、後方へと誘導される。
【００６６】
本形態では、第１開口部３２Ａは、前方の端部及び後方の端部に幅広部Ｗ及び幅広部Ｗ'をそれぞれ有しており、全体として、前後方向の中央で括れた曲線状の輪郭を有している。一方、第２開口部３２Ｂは、全体として前後方向の中央で膨らむ曲線状の輪郭を有している。開口部の形状を曲線状にすることによって、体液を滞りなく誘導させることが可能になる。但し、第１開口部３２Ａ及び第２開口部３２Ｂの形状は、図示のものに限られない。例えば、第１開口部３２Ａ及び第２開口部３２は、頂点を含む（角張った）平面視形状を有していてもよい。
【００６７】
図示の形態のように、第１開口部３２Ａ及び第２開口部３２Ｂの数が各１であり、第１開口部３２Ａ及び第２開口部３２Ｂがともに幅方向Ｄ２中央に設けられている場合、第１開口部３２Ａの幅広部Ｗ（又は幅広部Ｗ、Ｗ'）の最大幅ａは、５５〜９０ｍｍであると好ましく、５８〜７０ｍｍであるとより好ましい。幅広部Ｗの最大幅ａを５５ｍｍ以上とすることで、一気に排出された体液であっても幅広部Ｗにおいて受けとめることができ、横漏れを防止することができる。また、幅広部Ｗの最大幅ａを９０ｍｍ以下とすることで、幅広部Ｗ付近の吸収体の吸収容量を確保することができる。
【００６８】
幅広部Ｗの平面視での形状は、略楕円形（楕円を含む形状）となっているが、円形、三角形、四角形等の多角形等を含む形状であってもよい。しかし、幅広部Ｗの平面視形状を楕円形又は円形を含む形状とすることで、幅広部Ｗの前方の縁部から体液を比較的均一に拡散・吸収させることができ、利用される吸収体の量が増えるので、好ましい。
【００６９】
第１開口部３２Ａの幅狭部Ｎの最小幅ｂは、８〜３０ｍｍであると好ましい。幅狭部Ｎの最小幅ｂを８ｍｍ以上とすることで、体液を誘導する機能を高めることができる。また、幅狭部Ｎの最小幅ｂを３０ｍｍ以下とすることで、幅狭部Ｎ付近の吸収体の吸収容量を確保することができる。
【００７０】
第２開口部３２Ｂの幅の最大値は、１８〜４０ｍｍであると好ましい。また、第１開口部３２Ａの幅広部Ｗ（又は幅広部Ｗ、Ｗ'）の最大幅の位置で、第１開口部３２Ａの縁部から突出する第２開口部３２Ｂの縁部の幅方向Ｄ２の長さ（第１開口部３２Ａの縁部と第２開口部３２Ｂの縁部との幅方向Ｄ２の距離）は、２０〜３６ｍｍであると好ましい。第１開口部３２Ａの幅狭部Ｎの最小幅の位置で、第２開口部３２Ｂの縁部から突出する第１開口部３２Ａの縁部の幅方向Ｄ２の長さ（第１開口部３２Ａの縁部と第２開口部３２Ｂの縁部との幅方向Ｄ２の距離）は、５〜１６ｍｍであると好ましい。
【００７１】
なお、本形態では、吸収体３０は２層で構成されているが、３層以上で構成することもできる。その場合、各層が開口部を備え、各開口部が重なる部分、すなわち吸収体３０の貫通部を備えていると好ましい。
【００７２】
（第２実施形態）
図７に、第２実施形態による吸収性物品の吸収体２３０の部分拡大図を示す。図８に、図７の吸収体２３０に、両側部から脚圧Ｐがかかった状態を示す。図９に、Ｍ２−Ｍ２線断面の、図７に示す状態から図８に示す状態への変化を示す。すなわち、図９（ａ）に、図７のＭ２−Ｍ２線断面図を、図９（ｂ）に、図８のＭ２−Ｍ２線断面図を示す。また、図１０に、Ｅ２−Ｅ２線断面の、図７に示す状態から図８に示す状態への変化を示す。すなわち、図１０（ａ）に、図７のＥ２−Ｅ２線断面図を、図１０（ｂ）に、図８のＥ２−Ｅ２線断面図を示す。
【００７３】
上述の第１実施形態では、第１層３０Ａが上側（トップシート２２側又は肌対向面側）に、第２層３０Ｂが下側（バックシート２１側又は外面側）に配置されていたが、第２実施形態では、第１層２３０Ａが下側に、第２層２３０Ｂが上側に配置されている。すなわち、第１層２３０Ａが下層に、第２層２３０Ｂが上層となっている。よって、第１開口部２３２Ａは下層に、第２開口部２３２Ｂは上層に位置している。第２実施形態のその他の構成（開口部の大きさ、形状等）関しては、第１実施形態と同様とすることができる。
【００７４】
第２実施形態においても、第１実施形態において説明した理由と同様の理由で、吸収性物品に両側方から強い脚圧Ｐがかかった場合でも、貫通部２３５を部分的に維持することができるため（図８及び図１０（ｂ））、良好な通気性を得ることができる。また、第１実施形態と同様に、吸収容量を確保して漏れを防止することができるという効果も得ることができる。
【００７５】
第２実施形態では、上側に第２開口部２３２Ｂが、下側に第１開口部２３２Ａが配置されている。そのため、吸収性物品の装着時に脚圧Ｐがかかった場合、第１開口部２３２Ａの幅狭部Ｎが設けられている場所では、下層（第１層２３０Ａ）の第１開口部２３２Ａが閉じ且つ上層（第２層２３０Ｂ）の第２開口部２３２Ｂが閉じられない（図８及び図９（ｂ））部分が形成され、体液の流れる溝状の通路が上層（第２層２３０Ｂ）に形成されることになる。よって、前方で受けとめられた体液を、周囲の吸収体に吸収されつつ、速やかに上層（第２層２３０Ｂ）に形成された通路に沿って後方へと誘導することができる。体液が上記通路に直接排出された場合も、体液を通路に沿って前方及び後方へ誘導することができる。
【００７６】
（開口部の変形例）
図１１Ａ及び図１１Ｂに、変形例による開口部の平面視形状を示す。以下の変形例は、第１実施形態及び第２実施形態のいずれの開口部の構成としても適用することができる。図１１Ａの例では、第２層３０Ｂの第２開口部３２Ｂが、前方で、第１開口部３２Ａの前端を越えて延びている。また、第２開口部３２Ｂは、後方で、第１開口部３２Ａの後端を越えて延びている。そして、第２開口部３２Ｂの前後方向Ｄ１の長さは第１開口部３２Ａの前後方向Ｄ１の長さより大きくなっている。このような構成により、前方及び後方への体液の誘導を促進させることができる。
【００７７】
図１１Ｂの例では、第２開口部３２Ｂの前端は、第１開口部３２Ａの前端と同じ位置にあるが、第２開口部３２Ｂが、後方で、第１開口部３２Ａの後端を越えて延在している。この構成により、後方への体液の誘導を促進させることができる。
【００７８】
図１１Ａ及び図１１Ｂのいずれの例においても、第１開口部３２Ａの前後方向Ｄ１の長さに対する、第２開口部３２Ｂの前後方向Ｄ１の長さの比の値は、吸収性物品の用途や構成に応じて適宜選択することができる。例えば、第２開口部３２Ｂの前後方向Ｄ１の長さは、第１開口部３２Ａの前後方向Ｄ１の長さの１．２倍以上とすることができ、１．５倍以上とすることができる。
【００７９】
（第３実施形態）
図１２に、第３実施形態による吸収性物品における吸収体３３０の平面視の部分拡大図を示す。第３実施形態では、第１開口部及び第２開口部はそれぞれ複数設けられている。図示の形態では、第１層３３０Ａは、２つの第１開口部３３２Ａ、３３２Ａを備え、第２層３３０Ｂは、２つの第２開口部３３２Ｂ、３３２Ｂを備えている。第１開口部３３２Ａ、３３２Ａは、前後方向中央線ＣＬの各側に離間して設けられている。第１開口部３３２Ａ、３３２Ａにそれぞれ重なる２つの第２開口部３３２Ｂ、３３２Ｂも、同様に前後方向中央線ＣＬの各側に離間して設けられている。第２開口部３３２Ｂ、３３２Ｂの離間幅は、股間対応領域ＣＲ２における吸収体３３０の最小幅（吸収体に括れ部分がある場合には括れ部分の最小幅）の５〜２０％程度とすることができる。
【００８０】
第３実施形態では、第１開口部３３２Ａ及び第２開口部３３２Ｂを複数備えているため、体液を前後方向Ｄ１に誘導する効果は高まる。また、図１２に示すように、第１開口部３３２Ａ及び第２開口部３３２Ｂが前後方向中心線ＣＬの各側に設けられていることで、吸収性物品の装着位置が幅方向にずれた場合であっても、体液を前後方向に良好に誘導させることができる。
【００８１】
なお、第３実施形態における第１開口部３３２Ａは、第１実施形態及び第２実施形態と同様に、前方の幅広部Ｗ、幅狭部Ｎ、及び後方の幅広部Ｗ'を備えている。幅広部Ｗ（幅広部Ｗ、Ｗ'）の形状は、略楕円を短軸方向に半分に分割した形状を有している。図１２の形態では、各第１開口部３３２Ａの幅広部Ｗの形状は、幅方向外側に膨らんだ形状となっている。
【００８２】
以上、具体的な形態について、パッドタイプの使い捨ておむつを例に説明してきたが、本形態は、テープタイプ、パンツタイプ等の他の形態の使い捨ておむつの他、生理用ナプキンにおいても適用することができる。
【符号の説明】
【００８３】
２１  バックシート
２２  トップシート
２４  ギャザーシート
２５  中間シート
３０、２３０  吸収体
３０Ａ、２３０Ａ  第１層
３０Ｂ、２３０Ｂ  第２層
３２Ａ、２３２Ａ  第１開口部
３２Ｂ、２３２Ｂ  第２開口部
３５、２３５  貫通部
１００  吸収性物品
ＣＬ  前後方向中心線（第１方向Ｄ１に沿った中心線）
Ｄ１  前後方向（第１方向）
Ｄ２  幅方向（第２方向）
Ｇ  ギャザー
Ｎ  幅狭部
ＲＣ１  （吸収性物品の）股間対応領域
ＲＦ１  （吸収性物品の）前方領域
ＲＲ１  （吸収性物品の）後方領域
ＲＣ２  （吸収体の）股間対応領域
ＲＦ２  （吸収体の）前方領域
ＲＲ２  （吸収体の）後方領域
Ｗ、Ｗ'  幅広部
Ｐ  脚圧
Ｑ  体液排出口対応部
【図１】
2019166231.tif 000003
【図２】
2019166231.tif 000004
【図３】
2019166231.tif 000005
【図４】
2019166231.tif 000006
【図５】
2019166231.tif 000007
【図６】
2019166231.tif 000008
【図７】
2019166231.tif 000009
【図８】
2019166231.tif 000010
【図９】
2019166231.tif 000011
【図１０】
2019166231.tif 000012
【図１１Ａ】
2019166231.tif 000013
【図１１Ｂ】
2019166231.tif 000014
【図１２】
2019166231.tif 000015